(57)【要約】【課題】本発明の目的は、アキシャルギャップ型回転電機の回転子を溶接により組み立てる場合に、回転子を構成する永久磁石への伝熱を遮断又は低減することにより、永久磁石の熱減磁、又は永久磁石が磁性を失うのを防止することにある。【解決手段】本発明の回転子１４が、第一の押さえ部材２２に溶接されたフレーム２６と、界磁部収納孔２４内に収納された界磁部２０と、界磁部２０を界磁部収納孔２４内に固定する第二の押さえ部材３２と、溶接部Ｓ１から界磁部２０への伝熱を遮断又は低減する熱抵抗部１００と、第一の押さえ部材２２とフレーム２６との溶接部Ｓ２から界磁部収納孔２４への伝熱を遮断又は低減する熱抵抗部１０２と、を備えて構成される。【選択図】図１
2010206961.tif 000002
【特許請求の範囲】
【請求項１】
回転軸を中心として回転自在に配設された回転子と、該回転軸方向における該回転子の両面側又は一方側にギャップを隔てて配設された固定子と、を備えたアキシャルギャップ型回転電機の該回転子であり、
複数の界磁部収納孔を有し、第一の押さえ部材に溶接されたフレームと、
前記界磁部収納孔内に収納された複数の界磁部と、
前記フレームに溶接されることにより、前記界磁部を前記界磁部収納孔内に固定する第二の押さえ部材と、
前記第二の押さえ部材と前記フレームとの溶接部から前記界磁部への伝熱を遮断又は低減する熱抵抗部と、
を備えるアキシャルギャップ型回転電機の回転子。
【請求項２】
前記第一の押さえ部材と前記フレームとの溶接部から前記界磁部収納孔への伝熱を遮断又は低減する熱抵抗部を備える請求項１に記載するアキシャルギャップ型回転電機の回転子。
【請求項３】
前記熱抵抗部が中空部を含む請求項１又は請求項２に記載するアキシャルギャップ型回転電機の回転子。
【請求項４】
前記熱抵抗部が、溶接部と界磁部との間において、前記第二の押さえ部材に設けられた絞り部である請求項１〜請求項３のいずれかに記載するアキシャルギャップ型回転電機の回転子。
【請求項５】
前記熱抵抗部が、溶接部と界磁部との間に設けられた孔、隙間、溝又は穴である請求項１〜請求項３のいずれかに記載するアキシャルギャップ型回転電機の回転子。
【請求項６】
前記界磁部が、前記第一の押さえ部材に接するように前記界磁部収納孔内に収納された複数の永久磁石と、該永久磁石に接するように該界磁部収納孔内に収納された複数の磁性体と、から構成され、
前記永久磁石が希土類焼結磁石である請求項１〜請求項５のいずれかに記載するアキシャルギャップ型回転電機の回転子。
【請求項７】
前記フレーム及び前記第二の押さえ部材が非磁性ステンレスである請求項１〜請求項６のいずれかに記載するアキシャルギャップ型回転電機の回転子。
【請求項８】
回転軸を中心として回転自在に配設された回転子と、該回転軸方向における該回転子の両面側又は一方側にギャップを隔てて配設された固定子と、を備えたアキシャルギャップ型回転電機であり、
前記回転子が請求項１〜請求項７のいずれかに記載する回転子であるアキシャルギャップ型回転電機。
【請求項９】
回転軸を中心として回転自在に配設された回転子と、該回転軸方向における該回転子の両面側又は一方側にギャップを隔てて配設された固定子と、を備えたアキシャルギャップ型回転電機の該回転子の製造方法であり、
複数の界磁部収納孔を有するフレームを、第一の押さえ部材に溶接するステップと、
複数の界磁部を前記界磁部収納孔内に収納するステップと、
前記第二の押さえ部材と前記フレームとの溶接部から前記界磁部への伝熱を遮断又は低減する熱抵抗部を形成した状態で、前記フレームに前記第二の押さえ部材を溶接することにより、前記界磁部を前記界磁部収納孔内に固定するステップと、を含む回転子の製造方法。
【請求項１０】
前記第一の押さえ部材と前記フレームとの溶接部から前記界磁部収納孔への伝熱を遮断又は低減する熱抵抗部を形成した状態で、前記フレームを前記第一の押さえ部材に溶接する請求項９に記載する回転子の製造方法。
【請求項１１】
少なくとも前記第二の押さえ部材の前記フレームへの溶接が、レーザ溶接である請求項９又は請求項１０に記載する回転子の製造方法。
【請求項１２】
回転軸を中心として回転自在に配設された回転子と、該回転軸方向における該回転子の両面側又は一方側にギャップを隔てて配設された固定子と、を備えたアキシャルギャップ型回転電機の製造方法であり、
前記回転子の製造方法が、請求項９〜請求項１１のいずれかに記載する回転子の製造方法であるアキシャルギャップ型回転電機の製造方法。
【発明の詳細な説明】
【技術分野】
【０００１】
本発明は、溶接を用いた回転子の製造方法、アキシャルギャップ型回転電機の製造方法、アキシャルギャップ型回転電機の回転子、及びアキシャルギャップ型回転電機に関するものである。
【背景技術】
【０００２】
アキシャルギャップ型回転電機は、回転軸を中心として回転自在に配設された回転子と、回転軸方向における回転子の両面側又は一方側にギャップを隔てて配設された固定子と、を備える回転電機である。このアキシャルギャップ型回転電機は、その構造から薄型化できる点や、磁極面積を大きくしてトルク密度を向上できる点で他の構造の回転電機より好ましい。アキシャルギャップ型回転電機の回転子は、主として永久磁石により構成される界磁部を、所定の位置に配置しており、この界磁部を回転軸に対して固定する固定手段が必要である。特許文献１には、界磁部を保持するためにコア（カバー部４）とフレーム（ディスク２）を溶接することにより固定する技術が開示されている。
【先行技術文献】
【特許文献】
【０００３】
【特許文献１】特開平２−２６２８６３号公報
【発明の概要】
【発明が解決しようとする課題】
【０００４】
しかし、特許文献１によれば、コアとフレームを溶接する場合、コアには、鉄損を低減するための電磁材料として磁性体、具体的には圧粉磁心や積層鋼板を用いるが、圧粉磁心は溶接による接合が不可能であり、積層鋼板は積層間の結合も含め積層面全体を溶接する必要がある。このため、溶接による層間短絡による渦電流損の増加や、熱応力による磁気特性の劣化の恐れがあった。また、コアに熱を加えて溶接するため、溶接により発生した熱はコアを伝導して、コアに接触する永久磁石に伝導され、永久磁石の熱減磁、又はキュリー点を超えて磁性を失う恐れがあった。
【０００５】
よって、本発明の目的は、アキシャルギャップ型回転電機の回転子を溶接により組み立てる場合に、回転子を構成する永久磁石への伝熱を防止又は低減することにより、永久磁石の熱減磁、又は永久磁石が磁性を失うのを防止することにある。
【課題を解決するための手段】
【０００６】
本発明のアキシャルギャップ型回転電機の回転子は、回転軸を中心として回転自在に配設された回転子と、該回転軸方向における該回転子の両面側又は一方側にギャップを隔てて配設された一対の固定子と、を備えたアキシャルギャップ型回転電機の該回転子であり、複数の界磁部収納孔を有し、第一の押さえ部材に溶接されたフレームと、前記界磁部収納孔内に収納された複数の界磁部と、前記フレームに溶接されることにより、前記界磁部を前記界磁部収納孔内に固定する第二の押さえ部材と、前記第二の押さえ部材と前記フレームとの溶接部から前記界磁部への伝熱を遮断又は低減する熱抵抗部と、を備えることを特徴とする。
【０００７】
また、本発明のアキシャルギャップ型回転電機の回転子は、前記アキシャルギャップ型回転電機の回転子において、前記第一の押さえ部材と前記フレームとの溶接部から前記界磁部収納孔への伝熱を遮断又は低減する熱抵抗部を備えることを特徴とする。
【０００８】
また、本発明のアキシャルギャップ型回転電機の回転子は、前記アキシャルギャップ型回転電機の回転子において、前記熱抵抗部が中空部を含むことを特徴とする。
【０００９】
また、本発明のアキシャルギャップ型回転電機の回転子は、前記アキシャルギャップ型回転電機の回転子において、前記熱抵抗部が、溶接部と界磁部との間において、前記第二の押さえ部材に設けられた絞り部であることを特徴とする。
【００１０】
また、本発明のアキシャルギャップ型回転電機の回転子は、前記アキシャルギャップ型回転電機の回転子において、前記熱抵抗部が、溶接部と界磁部との間に設けられた孔、隙間、溝又は穴であることを特徴とする。
【００１１】
また、本発明のアキシャルギャップ型回転電機の回転子は、前記アキシャルギャップ型回転電機の回転子において、前記界磁部が、前記第一の押さえ部材に接するように前記界磁部収納孔内に収納された複数の永久磁石と、該永久磁石に接するように該界磁部収納孔内に収納された複数の磁性体と、から構成され、前記永久磁石が希土類焼結磁石であることを特徴とする。
【００１２】
また、本発明のアキシャルギャップ型回転電機の回転子は、前記アキシャルギャップ型回転電機の回転子において、前記フレーム及び前記第二の押さえ部材が非磁性ステンレスであることを特徴とする。
【００１３】
本発明のアキシャルギャップ型回転電機は、回転軸を中心として回転自在に配設された回転子と、該回転軸方向における該回転子の両面側又は一方側にギャップを隔てて配設された一対の固定子と、を備えたアキシャルギャップ型回転電機であり、該回転子が前記本発明の回転子であることを特徴とする。
【００１４】
本発明の回転子の製造方法は、回転軸を中心として回転自在に配設された回転子と、該回転軸方向における該回転子の両面側又は一方側にギャップを隔てて配設された一対の固定子と、を備えたアキシャルギャップ型回転電機の該回転子の製造方法であり、複数の界磁部収納孔を有するフレームを、第一の押さえ部材に溶接するステップと、複数の界磁部を前記界磁部収納孔内に収納するステップと、前記第二の押さえ部材と前記フレームとの溶接部から前記界磁部への伝熱を遮断又は低減する熱抵抗部を形成した状態で、前記フレームに前記第二の押さえ部材を溶接することにより、前記界磁部を前記界磁部収納孔内に固定するステップと、を含むことを特徴とする。
【００１５】
本発明の回転子の製造方法は、前記回転子の製造方法において、前記第一の押さえ部材と前記フレームとの溶接部から前記界磁部収納孔への伝熱を遮断又は低減する熱抵抗部を形成した状態で、前記フレームを前記第一の押さえ部材に溶接することを特徴とする。
【００１６】
本発明の回転子の製造方法は、前記回転子の製造方法において、少なくとも前記第二の押さえ部材の前記フレームへの溶接が、レーザ溶接であることを特徴とする。
【００１７】
本発明のアキシャルギャップ型回転電機の製造方法は、回転軸を中心として回転自在に配設された回転子と、該回転軸方向における該回転子の両面側又は一方側にギャップを隔てて配設された一対の固定子と、を備えたアキシャルギャップ型回転電機の製造方法であり、該回転子の製造方法が、前記本発明の回転子の製造方法であることを特徴とする。
【発明の効果】
【００１８】
本発明のキシャルギャップ型回転電機の回転子、アキシャルギャップ型回転電機、回転子の製造方法、及びアキシャルギャップ型回転電機の製造方法は、熱抵抗部により第二の押さえ部材及びフレームの溶接部から界磁部への伝熱を遮断又は低減することができる。これにより、界磁部に含まれる永久磁石の熱減磁又は磁性消滅を防止できる。
【図面の簡単な説明】
【００１９】
【図１】本発明のアキシャルギャップ型回転電機を示す側面断面図である。
【図２】図１のアキシャルギャップ型回転電機を構成する回転子の製造方法を説明するための図であり、同図（ａ）は熱抵抗部を備える本発明の回転子の製造における熱の流れを示す概略図であり、同図（ｂ）は熱抵抗部を備えない回転子の製造における熱の流れを示す概略図である。
【図３】図１のアキシャルギャップ型回転電機の製造方法を説明するための図であり、同図（ａ）は回転子の平面図であり  同図（ｂ）は回転子の底面図である。
【図４】図１のアキシャルギャップ型回転電機の製造方法を説明するための斜視図である。
【図５】図５（ａ）は、本発明のアキシャルギャップ型回転電機の回転子の他の実施形態を示す平面図であり、図５（ｂ）は本発明のアキシャルギャップ型回転電機の回転子の更に他の実施形態を示す平面図である。
【発明を実施するための形態】
【００２０】
本発明について図面を用いて説明する。なお、図は模式的に示しており、実際の大きさとは異なる場合がある。
【００２１】
図１に示すように、本発明のアキシャルギャップ型回転電機１０は、回転軸１２を中心として回転自在に配設された回転子１４と、回転軸１２方向における回転子１４の両面側にギャップを隔てて配設された一対の固定子１６及び１８と、を備えたアキシャルギャップ型回転電機である。すなわち、アキシャルギャップ型回転電機１０は、回転子１４が固定子１６及び１８によって挟まれた構成である。
【００２２】
回転子１４は、界磁部２０を支持する第一の押さえ部材２２と、６個の界磁部収納孔２４を有し、第一の押さえ部材２２に溶接されたフレーム２６と、界磁部収納孔２４内に収納された６個の界磁部２０と、フレーム２６に溶接されることにより、界磁部２０を界磁部収納孔２４内に固定する第二の押さえ部材３２と、第二の押さえ部材３２とフレーム２６との溶接部Ｓ１から界磁部２０への伝熱を遮断又は低減する熱抵抗部１００と、第一の押さえ部材２２とフレーム２６との溶接部Ｓ２から界磁部収納孔２４への伝熱を遮断又は低減する熱抵抗部１０２と、を備えて構成される。界磁部２０は、第一の押さえ部材２２に接するように界磁部収納孔２４内に収納された６個の永久磁石２８と、永久磁石２８に接するように界磁部収納孔２４内に収納された６個の磁性体３０と、から構成されている。
【００２３】
熱抵抗部１００は、図１及び図２（ａ）に示すように、第二の押さえ部材３２を構成するリング状部材３６及び３８を絞り加工して、回転軸１２方向に直交する平面から大気中へ突出するように設けた絞り部から構成される。冷媒中におかれる密閉型圧縮機に搭載した場合においては、冷媒が熱抵抗部１００を通ることで、熱抵抗部１００からの放熱が促進される。熱抵抗部１００は、フレーム２６及び磁性体３０に跨って設けられ、フレーム２６及び磁性体３０との間で、中空部１０６が形成されることとなる。熱抵抗部１００は、レーザＬによる溶接部Ｓ１から永久磁石２８へ熱が伝導する経路の途中に位置することとなる。熱抵抗部１０２は、熱抵抗部１００と同様の構成である。
【００２４】
第一の押さえ部材２２は、軟磁性体（例えば電磁鋼板）から成る蓋部材（以下の機能より、今後「短絡鋼板」とよぶ）であり、界磁部２０の固定子１８側の磁束を部分的に短絡する機能を有するとともに、界磁部２０を支持する機能を有する。固定子１８側の磁束を部分的に短絡する機能を有することにより、仮に第一の押さえ部材２２がない場合において固定子１８と回転子１４との間に働く磁気吸引力が、固定子１６と回転子１４との間に働く磁気吸引力よりも強い場合に、固定子１８と回転子１４との間に働く磁気吸引力を弱めることができる。この機能が必要ない場合は、第一の押さえ部材２２を非金属の板から構成してもよい。また、第一の押さえ部材２２は、一体的に構成されたものでなく、複数に分割されて構成されてもよい。また、第一の押さえ部材２２として、リング状の第二の押さえ部材３２を使用してもよい。
【００２５】
フレーム２６は、第二の押さえ部材３２との溶接性を考慮すれば、ステンレス製であることが好ましく、例えば、ステンレス鋼板を打ち抜いて構成したり、焼結体から構成される。フレーム２６の６個の界磁部収納孔２４は、６本のスポーク３４によって仕切られている。
【００２６】
永久磁石２８は、磁束密度を大きくするために、焼結された希土類磁石から構成することが好ましい。一方、希土類磁石、特に焼結した希土類磁石は導電率が高く、固定子１６から発生する回転磁界により渦電流損が生じやすい。このため、磁性体３０は、希土類磁石に比べて導電率の小さい磁性材から構成され、永久磁石２８に対して固定子１６側に配置されることにより、渦電流損を低減できる。特に、ＰＷＭ（Pulse Width Modulation）制御する場合、キャリア成分の磁束の変化による渦電流損を低減できる。また、磁性体３０を、磁気的に等方性を有する圧粉磁心から構成すれば、磁性体３０において渦電流損を発生しにくくできる。他方、永久磁石２８が固定子１６側で発生させる界磁磁束のうちの殆どが磁性体３０を通るため、磁性体３０の固定子１６側の表面は、実質的に、界磁部２０の極磁面として機能することとなる。
【００２７】
第二の押さえ部材３２は、リング状部材３６及び３８から構成される。第二の押さえ部材３２は、フレーム２６との溶接性を考慮すれば、ステンレス製であることが好ましく、例えば、ステンレス鋼板の打ち抜き又は焼結によって構成される。
【００２８】
固定子１６は、図１に示すように、バックヨーク４０と、バックヨーク４０の回転子１４側に配置されるティース４２と、ティース４２に巻回されたコイル部４４とから構成されている。バックヨーク４０は、中心部に孔４６を有する円板形状を成しており、例えば、ティース４２が嵌設される孔又は溝を有している。コイル部４４は、３相コイルから成る。例えば、集中巻であるならば回転子１４が６極であれば、９個のティース４２が設けられ、各相のコイルは、３個のティース４２に対してコイルが巻回されて構成される。
【００２９】
固定子１８は、中心部に孔４８を有し、コイルを備えずに構成される。固定子１６及び１８は、図示しない容器内に固定される。回転子１４の回転軸１２は、固定子１６の孔４６及び固定子１８の孔４８を、回転可能に貫通する。
【００３０】
このような構成のアキシャルギャップ型回転電機１０及び回転子１４の製造方法について以下に説明する。
【００３１】
まず、第二の押さえ部材３２に絞り加工を施して熱抵抗部１００を形成し、第一の押さえ部材２２に絞り加工を施して熱抵抗部１０２を形成しておく。すなわち、フレーム２６を第一の押さえ部材２２に溶接する時には、第一の押さえ部材２２とフレーム２６との溶接部Ｓ２から界磁部収納孔２４への伝熱を遮断又は低減する熱抵抗部１０２が既に形成されている状態とする。また、フレーム２６に第二の押さえ部材３２を溶接して界磁部２０を界磁部収納孔２４内に固定する時には、第二の押さえ部材３２とフレーム２６との溶接部Ｓ１から界磁部２０への伝熱を遮断又は低減する熱抵抗部１００が既に形成されている状態とする。
【００３２】
このような第一の押さえ部材２２及び第二の押さえ部材３２を形成した上で、第一の押さえ部材２２にフレーム２６に第一の押さえ部材２２をレーザ溶接する。レーザ溶接の溶接部Ｓ２の形態は、図３（ｂ）に示すようなスポット溶接であっても、円周方向に沿って延びる円周溶接であってもよい。また、フレーム２６のスポーク３４に溶接してもよいが、界磁部２０の外周または内周に溶接部を設けることで、絞り部とティース４２との対向を避けることにより、エアギャップを小さくすることができる。この溶接時に、第一の押さえ部材２２とフレーム２６との溶接部Ｓ２で生じた熱の、溶接部Ｓ２から界磁部収納孔２４への伝熱は、熱抵抗部１０２によって遮断又は低減される。詳細な作用は、熱抵抗部１００による伝熱の遮断又は低減に関して後述する作用と同様である。
【００３３】
次に、図４に示すように、フレーム２６の界磁部収納孔２４に永久磁石２８を収納した後、磁性体３０を収納する。この時、永久磁石２８の着磁は、行われていても、行われていなくてもよい。永久磁石２８の着磁が行われていない場合は、回転子１４が完成した状態で、着磁器又はステータにより着磁が行われる。
【００３４】
界磁部収納孔２４に永久磁石２８及び磁性体３０が収納された状態で、リング状部材３６及び３８をフレーム２６にレーザ溶接する。このレーザ溶接の溶接部Ｓ１の形態は、図３（ａ）に示すようなスポット溶接であっても、円周方向に沿って延びる円周溶接であってもよい。図２（ａ）に示すように、この溶接時に、第二の押さえ部材３２のリング状部材３８とフレーム２６との溶接部Ｓ１で生じた熱の中、一部の熱Ｑ１は大気中へ放熱され、一部の熱Ｑ２はフレーム２６内を伝導し、一部の熱Ｑ３はリング状部材３８内を伝導した後に磁性体３０へ伝導される。熱Ｑ３は熱抵抗部１００を通った後に磁性体３０へ達するが、熱抵抗部１００を通過する時に熱Ｑ３の中の熱ｑ１は大気中へ放熱され、熱ｑ２は中空部１０６へ蓄積される。なお、熱抵抗部１００の円周方向端部に孔を設け中空部１０６内へ蓄積された熱が孔から大気中へ放熱されるように構成してもよい。なお、熱Ｑ２は、熱容量が大きく、また表面積も広いため、放熱され、永久磁石２８に達する熱は小さい。
【００３５】
本発明の回転子１４の場合、熱抵抗部を設けない図２（ｂ）に示す回転子２００と比べると、熱Ｑ３は湾曲形状の熱抵抗部１００を通り磁性体３０へ達するまでの距離が長いため、大気中へ放熱される熱ｑ１は回転子２００よりも大きい。また、本発明の回転子１４の場合、中空部１０６へ逃げる熱ｑ２が生じる。このため、リング状部材３８から磁性体３０へ伝導される熱Ｑ３は、本発明の回転子１４の方が回転子２００よりも小さい。よって、リング状部材３８から永久磁石２８へ伝導される熱は、回転子１４の方が回転子２００よりも小さくなり、永久磁石２８の熱減磁、又は永久磁石２８が磁性を失うのを防止できる。また、永久磁石２８が不可逆減磁である高温減磁が生じる希土類の場合、永久磁石２８への伝熱を低減することにより不可逆減磁を防止でき、特に有利な効果が生じる。さらに、絞り加工することによりリング状部材３６及び３８が回転軸１２の方向に歪みにくくすることにより、リング状部材３６及び３８の強度を高め、回転子１４全体の強度を高めることができる。
【００３６】
以上、本発明について説明したが、本発明は上記の実施形態に限定されない。例えば、本発明の回転子１４において、熱抵抗部は、図５（ａ）に示すように、溶接部Ｓ１と界磁部２０との間に設けられた隙間１１０及び孔１１２であってもよい。隙間１１０は、磁性体３０の外形の角部にＲ面取りしたフィレット部を設けることにより形成され、孔１１２は磁性体３０の凹部により形成される。隙間１１０及び孔１１２は、レーザＬによる溶接部Ｓ１から永久磁石２８へ熱が伝導する経路の途中に位置することとなる。なお、フレーム２６の界磁部収納孔２４の内面に孔１１２を設け、又はフレーム２６と磁性体３０との接触部においてフレーム２６に薄肉部を設けることによって中空部から成る熱抵抗部を構成してもよい。
【００３７】
また、本発明の回転子１４において、熱抵抗部は、図５（ｂ）に示すように、磁性体３０の界磁部収納孔２４の角部に面取り部を設けることにより形成される隙間１１４及び１１６であってもよい。隙間１１４は、レーザＬによる溶接部Ｓ１から永久磁石２８へ熱が伝導する経路の途中に位置することとなる。フレーム２６の円周方向に沿って延びる隙間１１４は、溶接部Ｓ１から磁性体３０へ熱が伝導する方向に対して直角方向に長く延びるため、溶接部Ｓ１から磁性体３０へ伝導する熱を遮断することができる。
【００３８】
その他、本発明は、その主旨を逸脱しない範囲で当業者の知識に基づき種々の改良、修正、変更を加えた態様で実施できるものである。例えば、第二の押さえ部材のフレームへの溶接は入熱の少ないレーザ溶接が好ましいが、その他の溶接であってもよい。また、界磁部の構成は永久磁石に磁性体を重ね合わせたものに限定されず、２個の磁性体で永久磁石を挟んだものであってもよい。これに伴って、２個の固定子の両方がコイルを備えてもよい。また、固定子は１個のみであってもよい。
【産業上の利用可能性】
【００３９】
本発明のキシャルギャップ型回転電機の回転子、アキシャルギャップ型回転電機、回転子の製造方法、及びアキシャルギャップ型回転電機の製造方法によれば、回転子の組み立て時の溶接により発生する熱の、溶接部から永久磁石への伝熱を遮断又は低減でき、永久磁石の熱減磁又は磁性消滅を防止できる。このため、モータとして広く利用できる。
【符号の説明】
【００４０】
１０：アキシャルギャップ型回転電機
１２：回転軸
１４：回転子
１６、１８：固定子
２０：界磁部
２２：第一の押さえ部材
２４：界磁部収納孔
２６：フレーム
２８：永久磁石
３０：磁性体
３２：第二の押さえ部材
３４：スポーク
３６、３８：リング状部材
１００、１０２：熱抵抗部
１１０、１１４、１１６：隙間（熱抵抗部）
１１２：孔（熱抵抗部）
Ｓ１、Ｓ２：溶接部
Ｌ：レーザ
【図１】
2010206961.tif 000003
【図２】
2010206961.tif 000004
【図３】
2010206961.tif 000005
【図４】
2010206961.tif 000006
【図５】
2010206961.tif 000007